(57)【特許請求の範囲】
【請求項１】
ユーザの指示に基づいて地上デジタル放送のチャンネル有無をスキャンするチャンネルスキャン手段と、
前記チャンネルスキャン手段のスキャン結果が受信可能なチャンネルが無いことを示す場合には受信不可であることを記憶し、受信可能なチャンネルが有ることを示す場合には受信可能であることを記憶する記憶手段と、
次の電源オン時において前記記憶手段が受信不可であることを記憶している場合には受信回路への電源供給を停止し、受信可能であることを記憶している場合には受信回路への電源供給を行う電源制御手段と、
を有するデジタル放送受信装置。
【請求項２】
ユーザの指示に基づいて地上デジタル放送のチャンネル有無をスキャンするチャンネルスキャンステップと、
前記チャンネルスキャンステップのスキャン結果が受信可能なチャンネルが無いことを示す場合には受信不可であることを記憶し、受信可能なチャンネルが有ることを示す場合には受信可能であることを記憶する記憶ステップと、
次の電源オン時において前記記憶ステップが受信不可であることを記憶している場合には受信回路への電源供給を停止し、受信可能であることを記憶している場合には受信回路への電源供給を行う電源制御ステップと、
を有するデジタル放送受信方法。
【請求項３】
コンピュータをユーザの指示に基づいて地上デジタル放送のチャンネル有無をスキャンするチャンネルスキャン手段、
前記チャンネルスキャン手段のスキャン結果が受信可能なチャンネルが無いことを示す場合には受信不可であることを記憶し、受信可能なチャンネルが有ることを示す場合には受信可能であることを記憶する記憶手段、
次の電源オン時において前記記憶手段が受信不可であることを記憶している場合には受信回路への電源供給を停止し、受信可能であることを記憶している場合には受信回路への電源供給を行う電源制御手段として機能させるためのプログラム。
【請求項４】
コンピュータをユーザの指示に基づいて地上デジタル放送のチャンネル有無をスキャンするチャンネルスキャン手段、
前記チャンネルスキャン手段のスキャン結果が受信可能なチャンネルが無いことを示す場合には受信不可であることを記憶し、受信可能なチャンネルが有ることを示す場合には受信可能であることを記憶する記憶手段、
次の電源オン時において前記記憶手段が受信不可であることを記憶している場合には受信回路への電源供給を停止し、受信可能であることを記憶している場合には受信回路への電源供給を行う電源制御手段として機能させるためのプログラムを記録したコンピュータ読み取り可能な記録媒体。
【発明の詳細な説明】
【技術分野】
【０００１】
本発明は、デジタル放送に用いる受信装置（国際特許分類  Ｈ０４Ｎ  １７／００）に関するものである。
【背景技術】
【０００２】
２００３年１２月に３大都市で地上デジタル放送が開始され、受信チャンネルとして、「地上アナログ放送」，「地上デジタル放送」，「ＢＳデジタル放送」，「１１０度ＣＳデジタル放送」に対応し、ｉ．ＬＩＮＫ（ＩＥＥＥ１３９４），ＩｒＤＡによる録画機器制御やモデム，ＬＡＮを利用した双方向サービスに対応するなど、デジタル放送受信装置の多チャンネル化、多機能化が進んでいる。
【０００３】
この反面、これらを制御する回路が必要となり、この回路に電源を供給するための消費電力が増加するという問題があった。
【０００４】
「地上デジタル放送」の受信においては、特開２００４−３６４０００号公報で公知の通り、ＩＦ信号のレベルを検知し、視聴が不可能な状態であるときにデジタル復調回路への電源供給を停止することで省電力化を図っている。
【特許文献１】特開２００４−３６４０００号公報
【発明の開示】
【発明が解決しようとする課題】
【０００５】
従来のデジタル放送受信装置では、視聴が不可能な状態であっても常にＩＦ信号のレベルの検知を行うため、常時、この検知部分への電源供給が必要であり、不要な電力を供給するという課題があった。
【課題を解決するための手段】
【０００６】
上記課題を解決するために、本発明のデジタル放送受信装置は、ユーザの指示に基づいて地上デジタル放送のチャンネル有無をスキャンするチャンネルスキャン手段と、チャンネルスキャン手段のスキャン結果が受信可能なチャンネルが無いことを示す場合には受信不可であることを記憶し、受信可能なチャンネルが有ることを示す場合には受信可能であることを記憶する記憶手段と、次の電源オン時において記憶手段が受信不可であることを記憶している場合には受信回路への電源供給を停止し、受信可能であることを記憶している場合には受信回路への電源供給を行う電源制御手段と、を備えたものである。
【発明の効果】
【００１７】
以上のように本発明は、常時、または定期的に地上デジタル放送の受信回路への電源供給を開始し、地上デジタル放送の受信不可を判断し、地上デジタル放送の受信回路への電源供給を制御する必要がなくなるため、ＧＵＩからの地上デジタル放送のチャンネルスキャン結果により、地上デジタル放送の受信が不可能であった場合には、常時地上デジタル放送の受信回路への電源供給を停止することが可能となり、消費電力を削減できるという優れた効果が得られる。
【発明を実施するための最良の形態】
【００２１】
本発明は、地上デジタル放送の受信回路への電源供給を制御するデジタル放送受信装置であって、地上デジタル放送のチャンネル有無をスキャンする手段と、スキャン結果により地上デジタル放送の受信不可を判断する手段とを備えたことを特徴とするデジタル放送受信装置であり、地上デジタル放送の受信が不可であった場合に地上デジタル放送の受信回路への電源供給を停止することで消費電力を削減できるといった作用を有する。
【００２２】
（実施の形態１）
図１は本発明の一実施の形態におけるデジタル放送受信装置のハードウェアのブロック図である。以下、図１を用いて上記デジタル放送受信装置の構成について説明する。
【００２３】
ユーザが選局した信号を受信するＴｕｎｅｒ１０１、信号レベルの有無を検出するＩＦ信号検知１０２、変調されているその信号を復調する復調器１０３、これらＴｕｎｅｒ１０１，ＩＦ信号検知１０２，復調器１０３からなる地上デジタル放送の受信回路１０４、この地上デジタル放送の受信回路１０４への電源供給を制御する電源制御１０５、復調された信号から映像・音声・付加情報に分離するためのＴＳ  Ｄｅｃｏｄｅｒ１０６、分離された映像信号・音声信号をデコードするＡＶ  Ｄｅｖｏｃｅｒ１０７、プログラムや番組情報などを格納する記憶装置であるＦｌａｓｈＲＯＭ１０８、プログラムの内部情報などを格納する記憶装置であるＲＡＭ１０９、ユーザ固有の情報やデジタル放送受信装置のシステム設定情報などを格納する記憶装置であるＥＥＰＲＯＭ１１１、外部機器へのリモコン信号の送信を行う赤外線リモコン信号送信装置１１２、リモコン信号の受信を行う赤外線リモコン受信装置１１３、ＬＡＮを利用した双方向サービスを行うためのＥｔｈｅｒ制御装置１１４、ＩＥＥＥ１３９４規格に準拠し外部機器との制御やデータの送受信を行うＩＥＥＥ１３９４制御装置１１５、これらの装置をシステムバス１００を通じて制御するＣＰＵ１１０から構成される。
【００２４】
以上の構成からなるデジタル放送受信装置における本発明の実施の形態１について図２の処理フローを用いて以下に説明する。
【００２５】
図２のステップ２１でユーザは地上デジタル放送のチャンネルスキャンを行うための画面を起動する。次に図２のステップ２２でユーザ操作によるチャンネルスキャンの開始待ち状態とする。
【００２６】
図２のステップ２２でユーザがチャンネルスキャンの開始を実行すると図２のステップ２３で、図１の電源制御１０５を電源オンし、図１の地上デジタル放送の受信回路１０４へ電源を供給する。
【００２７】
次に図２のステップ２４で、チャンネルスキャンが終了していなければ、図２のステップ２５で、図１のＴｕｎｅｒ１０１へ次のチャンネルの選局データを設定する。
【００２８】
次に図２のステップ２６で、図１のＩＦ信号検知１０２で信号を検出できなければ、次のチャンネルをスキャンするために図２のステップ２４へ遷移し、信号が検出できれば図２のステップ２７で、図１の復調器１０３で復調信号の同期あり、なしを検出し、復調同期がなければ、次のチャンネルをスキャンするために図２のステップ２４へ遷移し、復調同期があれば、図２のステップ２８で、図１のＴＳ  Ｄｅｃｏｄｅｒ１０６の同期信号（ＴＳ同期）のあり、なしを検出し、ＴＳ同期がなければ、次のチャンネルをスキャンするために図２のステップ２４へ遷移し、ＴＳ同期があれば、図２のステップ２９で受信可能なチャンネルとしてこのチャンネルをチャンネルリストに追加し、次のチャンネルをスキャンするために図２のステップ２４へ遷移する。
【００２９】
次に図２のステップ２４でチャンネルスキャンが終了すれば、図２のステップ２１０で地上デジタル放送の受信不可を判断すべく、図２のステップ２９で受信可能なチャンネルを追加したチャンネルリストから受信可能なチャンネルが１つもなければ受信不可と判断し、図２のステップ２１１で、図１の電源制御１０５を電源オフし、図１の地上デジタル放送の受信回路１０４への電源供給を停止し、チャンネルリストに受信可能なチャンネルが１つでもあれば、図１の電源制御１０５は電源オンしたまま、チャンネルスキャンの処理は終了となる。
【００３０】
（実施の形態２）
本発明の実施の形態２は、前述の実施の形態１に地上デジタル放送の受信不可の判断結果を記憶する手段と、電源オン時に記憶した地上デジタル放送の受信不可の判断結果を読み出す手段とを備えた点が異なる。本発明の実施の形態２について図３及び図４の処理フローを用いて以下に説明する。
【００３１】
図３のステップ３１でユーザは地上デジタル放送のチャンネルスキャンを行うための画面を起動する。
【００３２】
次に図３のステップ３２でユーザ操作によるチャンネルスキャンの開始待ち状態とする。図３のステップ３２でユーザがチャンネルスキャンの開始を実行すると図３のステップ３３で、図１の電源制御１０５を電源オンし、図１の地上デジタル放送の受信回路１０４へ電源を供給する。
【００３３】
次に図３のステップ３４で、チャンネルスキャンが終了していなければ、図３のステップ３５で、図１のＴｕｎｅｒ１０１へ次のチャンネルの選局データを設定する。
【００３４】
次に図３のステップ３６で、図１のＩＦ信号検知１０２で信号を検出できなければ、次のチャンネルをスキャンするために図３のステップ３４へ遷移し、信号が検出できれば図３のステップ３７で、図１の復調器１０３で復調信号の同期あり、なしを検出し、復調同期がなければ、次のチャンネルをスキャンするために図３のステップ３４へ遷移し、復調同期があれば、図３のステップ３８で、図１のＴＳ  Ｄｅｃｏｄｅｒ１０６の同期信号（ＴＳ同期）のあり、なしを検出し、ＴＳ同期がなければ、次のチャンネルをスキャンするために図３のステップ３４へ遷移し、ＴＳ同期があれば、図３のステップ３９で受信可能なチャンネルとしてこのチャンネルをチャンネルリストに追加し、次のチャンネルをスキャンするために図３のステップ３４へ遷移する。
【００３５】
次に図３のステップ３４でチャンネルスキャンが終了すれば、図３のステップ３１０で地上デジタル放送の受信不可を判断すべく、図３のステップ３９で受信可能なチャンネルを追加したチャンネルリストから受信可能なチャンネルが１つもなければ受信不可と判断し、図３のステップ３１１で、図１の電源制御１０５を電源オフし、図１の地上デジタル放送の受信回路１０４への電源供給を停止し、図３のステップ３１２で地上デジタル放送の受信が不可能であることを記憶装置である図１のＥＥＰＲＯＭ１１１に格納し、チャンネルスキャンの処理は終了となる。
【００３６】
また、図３のステップ３１０でチャンネルリストに受信可能なチャンネルが１つでもあれば、図１の電源制御１０５は電源オンしたまま、図３のステップ３１３で地上デジタル放送の受信が可能であることを記憶装置である図１のＥＥＰＲＯＭ１１１に格納し、チャンネルスキャンの処理は終了となる。
【００３７】
次に電源オン時、図４のステップ４１で図３のステップ３１２または図３のステップ３１３で格納された地上デジタル放送の受信不可または受信可の情報を記憶装置である図１のＥＥＰＲＯＭ１１１から読み出す。
【００３８】
次に図４のステップ４２で、図４のステップ４１で読み出した地上デジタル放送の受信情報から受信不可を判断し、受信不可であれば、図４のステップ４３で図１の電源制御１０５を電源オフし、図１の地上デジタル放送の受信回路１０４への電源供給を停止し、受信可であれば、図４のステップ４４で図１の電源制御１０５を電源オンし、図１の地上デジタル放送の受信回路１０４への電源供給を行う。
【００３９】
（実施の形態３）
本発明の実施の形態３は、前述の実施の形態２の地上デジタル放送の受信不可の判断結果を記憶する手段に代え、地上デジタル放送のチャンネル有無のスキャン結果を記憶する手段を備えた点が異なる。本発明の実施の形態３について図５及び図６の処理フローを用いて以下に説明する。
【００４０】
図５のステップ５１でユーザは地上デジタル放送のチャンネルスキャンを行うための画面を起動する。
【００４１】
次に図５のステップ５２でユーザ操作によるチャンネルスキャンの開始待ち状態とする。図５のステップ５２でユーザがチャンネルスキャンの開始を実行すると図５のステップ５３で、図１の電源制御１０５を電源オンし、図１の地上デジタル放送の受信回路１０４へ電源を供給する。
【００４２】
次に図５のステップ５４で、チャンネルスキャンが終了していなければ、図５のステップ５５で、図１のＴｕｎｅｒ１０１へ次のチャンネルの選局データを設定する。次に図５のステップ５６で、図１のＩＦ信号検知１０２で信号を検出できなければ、次のチャンネルをスキャンするために図５のステップ５４へ遷移し、信号が検出できれば図５のステップ５７で、図１の復調器１０３で復調信号の同期あり、なしを検出し、復調同期がなければ、次のチャンネルをスキャンするために図５のステップ５４へ遷移し、復調同期があれば、図５のステップ５８で、図１のＴＳ  Ｄｅｃｏｄｅｒ１０６の同期信号（ＴＳ同期）のあり、なしを検出し、ＴＳ同期がなければ、次のチャンネルをスキャンするために図５のステップ５４へ遷移し、ＴＳ同期があれば、図５のステップ５９で受信可能なチャンネルとしてこのチャンネルをチャンネルリストに追加し、次のチャンネルをスキャンするために図５のステップ５４へ遷移する。
【００４３】
次に図５のステップ５４でチャンネルスキャンが終了すれば、図５のステップ５１０で地上デジタル放送の受信不可を判断すべく、図５のステップ５９で受信可能なチャンネルを追加したチャンネルリストから受信可能なチャンネルが１つもなければ受信不可と判断し、図５のステップ５１１で、図１の電源制御１０５を電源オフし、図１の地上デジタル放送の受信回路１０４への電源供給を停止し、チャンネルリストに受信可能なチャンネルが１つでもあれば、図１の電源制御１０５は電源オンしたままとする。
【００４４】
次に、図５のステップ５１２で、図５のステップ５９で受信可能なチャンネルとして該当チャンネルを追加したチャンネルリストを記憶装置である図１のＥＥＰＲＯＭ１１１に格納し、チャンネルスキャンの処理は終了となる。
【００４５】
次に電源オン時、図６のステップ６１で図５のステップ５１２で格納された地上デジタル放送のチャンネルリストを記憶装置である図１のＥＥＰＲＯＭ１１１から読み出す。
【００４６】
次に図６のステップ６２で、地上デジタル放送の受信不可を判断すべく、図６のステップ６１で読み出した地上デジタル放送のチャンネルリストから受信可能なチャンネルが１つもなければ受信不可と判断し、図６のステップ６３で、図１の電源制御１０５を電源オフし、図１の地上デジタル放送の受信回路１０４への電源供給を停止し、チャンネルリストに受信可能なチャンネルが１つでもあれば、図６のステップ６４で、図１の電源制御１０５を電源オンし、図１の地上デジタル放送の受信回路１０４への電源供給を行う。
【００４７】
（実施の形態４）
本発明の実施の形態４は、前述の実施の形態１に電源オン時に地上デジタル放送のチャンネルスキャンを行う手段を備えた点が異なる。本発明の実施の形態４について図７の処理フローを用いて以下に説明する。
【００４８】
電源オン時、図７のステップ７１でチャンネルスキャンの開始を実行すると図７のステップ７２で、図１の電源制御１０５を電源オンし、図１の地上デジタル放送の受信回路１０４へ電源を供給する。
【００４９】
次に図７のステップ７３で、チャンネルスキャンが終了していなければ、図７のステップ７４で、図１のＴｕｎｅｒ１０１へ次のチャンネルの選局データを設定する。
【００５０】
次に図７のステップ７５で、図１のＩＦ信号検知１０２で信号を検出できなければ、次のチャンネルをスキャンするために図７のステップ７３へ遷移し、信号が検出できれば図７のステップ７６で、図１の復調器１０３で復調信号の同期あり、なしを検出し、復調同期がなければ、次のチャンネルをスキャンするために図７のステップ７３へ遷移し、復調同期があれば、図７のステップ７７で、図１のＴＳ  Ｄｅｃｏｄｅｒ１０６の同期信号（ＴＳ同期）のあり、なしを検出し、ＴＳ同期がなければ、次のチャンネルをスキャンするために図７のステップ７３へ遷移し、ＴＳ同期があれば、図７のステップ７８で受信可能なチャンネルとしてこのチャンネルをチャンネルリストに追加し、次のチャンネルをスキャンするために図７のステップ７３へ遷移する。次に図７のステップ７３でチャンネルスキャンが終了すれば、図７のステップ７９で地上デジタル放送の受信不可を判断すべく、図７のステップ７８で受信可能なチャンネルを追加したチャンネルリストから受信可能なチャンネルが１つもなければ受信不可と判断し、図７のステップ７１０で、図１の電源制御１０５を電源オフし、図１の地上デジタル放送の受信回路１０４への電源供給を停止し、チャンネルリストに受信可能なチャンネルが１つでもあれば、図１の電源制御１０５は電源オンしたまま、チャンネルスキャンの処理は終了となる。
【００５１】
（実施の形態５）
本発明の実施の形態５は、前述の実施の形態２に電源オフ時に地上デジタル放送のチャンネルスキャンを行う手段を備えた点が異なる。本発明の実施の形態５について図８の処理フローを用いて以下に説明する。
【００５２】
電源オン時、図８のステップ８１でチャンネルスキャンの開始を実行すると図８のステップ８２で、図１の電源制御１０５を電源オンし、図１の地上デジタル放送の受信回路１０４へ電源を供給する。
【００５３】
次に図８のステップ８３で、チャンネルスキャンが終了していなければ、図８のステップ８４で、図１のＴｕｎｅｒ１０１へ次のチャンネルの選局データを設定する。
【００５４】
次に図８のステップ８５で、図１のＩＦ信号検知１０２で信号を検出できなければ、次のチャンネルをスキャンするために図８のステップ８３へ遷移し、信号が検出できれば図８のステップ８６で、図１の復調器１０３で復調信号の同期あり、なしを検出し、復調同期がなければ、次のチャンネルをスキャンするために図８のステップ８３へ遷移し、復調同期があれば、図８のステップ８７で、図１のＴＳ  Ｄｅｃｏｄｅｒ１０６の同期信号（ＴＳ同期）のあり、なしを検出し、ＴＳ同期がなければ、次のチャンネルをスキャンするために図８のステップ８３へ遷移し、ＴＳ同期があれば、図８のステップ８８で受信可能なチャンネルとしてこのチャンネルをチャンネルリストに追加し、次のチャンネルをスキャンするために図８のステップ８３へ遷移する。
【００５５】
次に図８のステップ８３でチャンネルスキャンが終了すれば、図８のステップ８９で地上デジタル放送の受信不可を判断すべく、図８のステップ８８で受信可能なチャンネルを追加したチャンネルリストから受信可能なチャンネルが１つもなければ受信不可と判断し、図８のステップ８１０で、図１の電源制御１０５を電源オフし、図１の地上デジタル放送の受信回路１０４への電源供給を停止し、図８のステップ８１１で地上デジタル放送の受信が不可能であることを記憶装置である図１のＥＥＰＲＯＭ１１１に格納して、チャンネルスキャンの処理を終了する。
【００５６】
また、図８のステップ８９でチャンネルリストに受信可能なチャンネルが１つでもあれば、図１の電源制御１０５は電源オンしたまま、図８のステップ８１２で地上デジタル放送の受信が可能であることを記憶装置である図１のＥＥＰＲＯＭ１１１に格納し、チャンネルスキャンの処理は終了となる。電源オン時の処理については、実施の形態２の電源オン時の処理と同様になる。
【００５７】
（実施の形態６）
本発明の実施の形態６は、前述の実施の形態３に電源オフ時に地上デジタル放送のチャンネルスキャンを行う手段を備えた点が異なる。本発明の実施の形態６について図９の処理フローを用いて以下に説明する。
【００５８】
電源オン時、図９のステップ９１でチャンネルスキャンの開始を実行すると図９のステップ９２で、図１の電源制御１０５を電源オンし、図１の地上デジタル放送の受信回路１０４へ電源を供給する。
【００５９】
次に図９のステップ９３で、チャンネルスキャンが終了していなければ、図９のステップ９４で、図１のＴｕｎｅｒ１０１へ次のチャンネルの選局データを設定する。
【００６０】
次に図９のステップ９５で、図１のＩＦ信号検知１０２で信号を検出できなければ、次のチャンネルをスキャンするために図９のステップ９３へ遷移し、信号が検出できれば図９のステップ９６で、図１の復調器１０３で復調信号の同期あり、なしを検出し、復調同期がなければ、次のチャンネルをスキャンするために図９のステップ９３へ遷移し、復調同期があれば、図９のステップ９７で、図１のＴＳ  Ｄｅｃｏｄｅｒ１０６の同期信号（ＴＳ同期）のあり、なしを検出し、ＴＳ同期がなければ、次のチャンネルをスキャンするために図９のステップ９３へ遷移し、ＴＳ同期があれば、図９のステップ９８で受信可能なチャンネルとしてこのチャンネルをチャンネルリストに追加し、次のチャンネルをスキャンするために図９のステップ９３へ遷移する。
【００６１】
次に図９のステップ９３でチャンネルスキャンが終了すれば、図９のステップ９９で地上デジタル放送の受信不可を判断すべく、図９のステップ９８で受信可能なチャンネルを追加したチャンネルリストから受信可能なチャンネルが１つもなければ受信不可と判断し、図９のステップ９１０で、図１の電源制御１０５を電源オフし、図１の地上デジタル放送の受信回路１０４への電源供給を停止し、チャンネルリストに受信可能なチャンネルが１つでもあれば、図１の電源制御１０５は電源オンしたままとする。
【００６２】
次に、図９のステップ９１１で、図５のステップ９８で受信可能なチャンネルとして該当チャンネルを追加したチャンネルリストを記憶装置である図１のＥＥＰＲＯＭ１１１に格納し、チャンネルスキャンの処理は終了となる。電源オン時の処理については、実施の形態３の電源オン時の処理と同様になる。
【００６３】
実施の形態２、実施の形態３、実施の形態５及び実施の形態６で情報が「ＥＥＰＲＯＭ」に格納される構成にしたが、「Ｆｌａｓｈ  ＲＯＭ」でもよい。
【００６４】
なお、本発明は上記した実施の形態に限定されるものではない。
【００６５】
以上、本発明を実施するための最良の形態における機能は、所定のプログラムによって実現され、これをＦＤ等の記録媒体に記録して移送することにより、独立した他のコンピュータ・システムで容易に実施することができ、また製品においては、内蔵するメモリーに該プログラムが書き込まれ、受信装置のハードキーあるいはリモコンによりユーザが操作を行うことができる。
【産業上の利用可能性】
【００６６】
本発明のデジタル放送受信装置に於ける電源制御方法は、地上デジタル放送の受信が不可能であった場合には、常時地上デジタル放送の受信回路への電源供給を停止することが可能となり、消費電力を削減できる効果を有しており、デジタル放送に用いる受信装置等として有用である。
【図面の簡単な説明】
【００６７】
【図１】本発明の実施の形態におけるデジタル放送受信装置のハードウェアのブロック図
【図２】本発明の実施の形態１におけるデジタル放送受信装置の処理を示すフローチャート
【図３】本発明の実施の形態２におけるデジタル放送受信装置の処理を示すフローチャート
【図４】本発明の実施の形態２におけるデジタル放送受信装置の処理を示すフローチャート
【図５】本発明の実施の形態３におけるデジタル放送受信装置の処理を示すフローチャート
【図６】本発明の実施の形態３におけるデジタル放送受信装置の処理を示すフローチャート
【図７】本発明の実施の形態４におけるデジタル放送受信装置の処理を示すフローチャート
【図８】本発明の実施の形態５におけるデジタル放送受信装置の処理を示すフローチャート
【図９】本発明の実施の形態６におけるデジタル放送受信装置の処理を示すフローチャート
【符号の説明】
【００６８】
１００    システムバス
１０１    Ｔｕｎｅｒ
１０２    ＩＦ信号検知
１０３    復調器
１０４    地上デジタル放送の受信回路
１０５    電源制御
１０６    ＴＳＤｅｃｏｄｅｒ
１０７    ＡＶＤｅｃｏｄｅｒ
１０８    ＦｌａｓｈＲＯＭ
１０９    ＲＡＭ
１１０    ＣＰＵ
１１１    ＥＥＰＲＯＭ
１１２    赤外線リモコン送信装置
１１３    赤外線リモコン受信装置
１１４    Ｅｔｈｅｒ制御装置
１１５    ＩＥＥＥ１３９４制御装置
【図１】
0004665787.tif 000002
【図２】
0004665787.tif 000003
【図３】
0004665787.tif 000004
【図４】
0004665787.tif 000005
【図５】
0004665787.tif 000006
【図６】
0004665787.tif 000007
【図７】
0004665787.tif 000008
【図８】
0004665787.tif 000009
【図９】
0004665787.tif 000010